(57)【要約】【課題】純水製造装置に設置されたセンサの異常を的確に判定することができる純水製造装置の制御方法を提供する。【解決手段】原水を加圧ポンプ６で加圧し、ＲＯ装置８，１０、脱気装置１２及び電気脱イオン装置１４を有する純水製造装置で処理して純水を製造する純水製造装置の制御方法において、純水製造装置に設けられたセンサの検出値の所定時間内における最大値が所定の上限値を上回るか又は最小値が所定の下限値を下回る場合にアラームを出力する。【選択図】図１
2020146650.tif 000002
【特許請求の範囲】
【請求項１】
原水を、少なくとも加圧ポンプ及びＲＯ装置を有する純水製造装置で処理して純水を製造する純水製造装置を制御する方法であって、
前記純水製造装置に設けられたセンサの検出値の所定時間内における最大値が所定の上限値を上回るか又は最小値が所定の下限値を下回る場合にアラームを出力することを特徴とする純水製造装置の制御方法。
【請求項２】
原水を、少なくとも加圧ポンプ及びＲＯ装置を有する純水製造装置で処理して純水を製造する純水製造装置を制御する方法であって、
前記純水製造装置に設けられたセンサの検出値の所定時間内における最大値と最小値の差と平均値との比が所定値以下である場合にアラームを出力する純水製造装置の制御方法。
【請求項３】
原水を、少なくとも加圧ポンプ及びＲＯ装置を有する純水製造装置で処理して純水を製造する純水製造装置を制御する方法であって、
上流側にポンプが設置されている流量計の検出値が、当該ポンプの吐出量の仕様値よりも大きくなった場合にアラームを出力することを特徴とする純水製造装置の制御方法。
【請求項４】
前記純水製造装置は、直列に多段に設置されたＲＯ装置と、最終段の該ＲＯ装置からの透過水を脱気処理する脱気装置と、該脱気装置からの脱気処理水が供給される電気脱イオン装置とを有することを特徴とする請求項１ないし３のいずれかに記載の純水製造装置の制御方法。
【発明の詳細な説明】
【技術分野】
【０００１】
本発明は純水製造装置の制御方法に係り、特に原水供給機構から送水された原水を処理して純水を製造する純水製造装置を制御する方法に関する。
【背景技術】
【０００２】
加圧ポンプ、ＲＯ装置（逆浸透膜分離装置）、脱気装置、電気脱イオン装置等を有する純水製造装置（例えば特許文献１）においては、流量計によって透過水や濃縮水等の流量を検出し、加圧ポンプを制御する。また、純水製造装置には、流量計以外にも、温度、圧力、水質（ｐＨ、電気伝導度、シリカ濃度など）等を測定する種々のセンサが設けられている。
【０００３】
流量計に気泡が混入したりすることにより、流量計の検出値が真値から大きく乖離し、例えば真値よりも著しく大きい検出値を出力することがある。従来の純水製造装置では、流量計の検出値が基準値を超えた場合には、ＲＯ装置などの機器保護のために加圧ポンプの送水量を低下させて純水製造装置を停止させた停止モードとするよう制御が行われる。その他のセンサに異常が生じた場合も同様である。
【０００４】
なお、純水製造装置を停止させる代りに、加圧ポンプの送水量を少なくしたスロー運転モードにて純水製造装置の稼動を継続することも検討されている。
【先行技術文献】
【特許文献】
【０００５】
【特許文献１】特開２００４−１６７４２３号公報
【発明の概要】
【発明が解決しようとする課題】
【０００６】
純水製造装置本体に異常がない場合に、センサの異常で純水製造装置の稼動を停止したり、スロー運転モードとすると、それだけ純水の製造効率が低下する。
【０００７】
本発明は、純水製造装置に設置されたセンサの異常を的確に判定することができる純水製造装置の制御方法を提供することを目的とする。
【課題を解決するための手段】
【０００８】
第１発明の純水製造装置の制御方法は、原水を、少なくとも加圧ポンプ及びＲＯ装置を有する純水製造装置で処理して純水を製造する純水製造装置を制御する方法であって、前記純水製造装置に設けられたセンサの検出値の所定時間内における最大値が所定の上限値を上回るか又は最小値が所定の下限値を下回る場合にアラームを出力することを特徴とする。
【０００９】
第２発明の純水製造装置の制御方法は、原水を、少なくとも加圧ポンプ及びＲＯ装置を有する純水製造装置で処理して純水を製造する純水製造装置を制御する方法であって、前記純水製造装置に設けられたセンサの検出値の所定時間内における最大値と最小値の差と平均値との比が所定値以下である場合にアラームを出力する。
【００１０】
第３発明の純水製造装置の制御方法は、原水を、少なくとも加圧ポンプ及びＲＯ装置を有する純水製造装置で処理して純水を製造する純水製造装置を制御する方法であって、上流側にポンプが設置されている流量計の検出値が、当該ポンプの吐出量の仕様値よりも大きくなった場合にアラームを出力する。
【００１１】
本発明の一態様では、前記純水製造装置は、直列に多段に設置されたＲＯ装置と、最終段の該ＲＯ装置からの透過水を脱気処理する脱気装置と、該脱気装置からの脱気処理水が供給される電気脱イオン装置とを有する。
【発明の効果】
【００１２】
本発明の純水製造装置の制御方法では、流量計等のセンサ検出値に異常が生じたどうかを運転担当者の経験や確認頻度によることなく、的確に判定することができ、純水製造装置が無駄に停止モード又はスロー運転モードとなることが防止されると共に、センサの異常を見逃すことが防止される。
【図面の簡単な説明】
【００１３】
【図１】実施の形態を示す純水製造装置の構成図である。
【発明を実施するための形態】
【００１４】
以下、図面を参照して実施の形態について説明する。
【００１５】
図１は本発明の実施の形態を示している。河川水、井水、工業用水、回収水などを原水源とした原水が原水タンク１に送水される。原水タンク１内の原水は、給水ポンプ２、配管３、保安フィルタ４、配管５、加圧ポンプ６、配管７を介して第１ＲＯ装置８に供給される。第１ＲＯ装置８の透過水は、配管９を介して第２ＲＯ装置１０に供給され、その透過水が配管１１を介して脱気装置１２に供給される。脱気装置１２で脱気処理された水は、配管１３を介して電気脱イオン装置１４に供給され、その透過水が配管１５より純水として需要先へ送水される。
【００１６】
脱気装置１２としては、膜脱気装置など各種のものが用いられる。膜脱気装置では、気体透過膜の１次側に水を通水し、２次側を真空ポンプで減圧する。
【００１７】
なお、配管１５に三方弁１６を介して分岐配管１７が接続されており、配管１５からの純水を原水タンク１（配管３，５又はそれらに必要に応じて設けられる給水槽であってもよい。）に送水可能としている。
【００１８】
また、ＲＯ装置８，１０の濃縮水（第１濃縮水、第２濃縮水）を原水タンク１に返送する配管１８，１９が設けられている。図示は省略するが、電気脱イオン装置１４の濃縮水を原水タンク１に返送するラインが設けられている。配管９，１１，１８，１９にはそれぞれ流量制御弁（図示略）が設けられている。
【００１９】
第１ＲＯ装置８の第１濃縮水は、脱塩処理された後、原水タンク１に返送される。第２ＲＯ装置１０の第２濃縮水及び電気脱イオン装置１４の濃縮水は、そのまま原水タンク１に返送される。
【００２０】
前記配管３（又は配管５）に原水供給圧を測定する圧力センサ２０が設けられ、配管９，１１，１８，１９にそれぞれ流量計２２〜２５が設けられ、該センサ２０及び流量計２２〜２５の検出信号が制御装置２１に入力される。制御装置２１は、これらの入力信号に基づいて、各配管９，１１，１８，１９の流量が目標範囲となるように、加圧ポンプ６の回転数をＰＩＤ制御すると共に、各配管９，１１，１８，１９の流量制御弁の開度を制御する。
【００２１】
制御装置２１は、純水製造装置の１又は２以上の各所に設けられた温度センサ、圧力センサや流量計（流量センサ）のほか、ｐＨ計（ｐＨセンサ）、水質（電気伝導度、シリカ濃度等）センサなど、各種センサの検出値が入力されており、純水製造装置の作動に異常がないか判定し、異常と判定される場合には、アラームを管理センターや運転担当者の携帯端末等に送信する。
【００２２】
本発明では、これら温度センサ、圧力センサ、流量計、ｐＨ計、水質センサ等に異常が生じたかどうかを次のようにして判定する。異常と判定されたセンサは、直ちに、又は次回のメンテナンス時に修理又は交換する。
【００２３】
［レンジオーバーに基づく判定］
センサ検出値の直近の所定時間（例えば２４時間特に６０ｍｉｎ程度）における最大値が所定の上限値を上回るか、又は最小値が所定の下限値を下回るときに、センサに異常が生じたものと判定し、アラームを出力する。
【００２４】
所定の上限値としては、当該センサの出力範囲の９５％として設定される。ただし、９５％は一例であり、９０〜９８％の間から選定されればよい。
【００２５】
所定の下限値としては、当該センサの出力範囲の５％として設定される。ただし、５％は一例であり、２〜１０％の間から選定されればよい。
【００２６】
［変動幅／平均値の比に基づく判定］
センサの検出値の直近の所定時間（例えば２４時間特に６０ｍｉｎ程度）における検出値の変動幅すなわち（最大値−最小値）の値と、当該所定時間内における検出値の平均値との比［変動幅］／［平均値］が所定値以下、例えば２〜２０％の間から選択された値以下である場合、センサがフリーズしているものと判定し、アラームを出力する。
【００２７】
［流量計の異常の判定］
流量計の上流側にポンプが設けられた流量計については、流量計測値が、該ポンプの吐出量の仕様値（カタログ値）よりも大きくなった場合、流量計に異常が生じたものと判定し、アラームを出力してもよい。
【符号の説明】
【００２８】
１  原水タンク
４  保安フィルタ
６  加圧ポンプ
２０  圧力センサ
２１  制御装置
２２〜２５  流量計
【図１】
2020146650.tif 000003